(57)【要約】【課題】注目ワードに関連する情報の取得を容易化する。【解決手段】クライアント端末１は、コンテンツを取得するコンテンツ取得部１３と、コンテンツ取得部１３によって取得されたコンテンツに含まれる注目ワードを特定し、特定された注目ワードの関連情報を取得する関連情報取得部１７と、関連情報取得部１７によって取得された関連情報を、コンテンツ取得部１３によって取得されたコンテンツとともに表示する表示部１６と、を備える。【選択図】図１
2013196141.tif 000002
【特許請求の範囲】
【請求項１】
コンテンツを取得するコンテンツ取得手段と、
前記コンテンツ取得手段によって取得された前記コンテンツに含まれる注目ワードを特定し、前記注目ワードの関連情報を取得する関連情報取得手段と、
前記関連情報取得手段によって取得された前記関連情報を、前記コンテンツとともに表示する表示手段と、
を備えることを特徴とする端末装置。
【請求項２】
前記注目ワードを示す注目ワード情報を取得する注目ワード情報取得手段と、
前記注目ワード情報取得手段によって取得された前記注目ワード情報に基づいて、前記コンテンツに含まれる前記注目ワードに強調表示用のタグ情報を付加するタグ情報付加手段と、
をさらに備え、
前記表示手段は、前記タグ情報に基づいて、前記コンテンツに含まれる前記注目ワードを強調表示することを特徴とする請求項１に記載の端末装置。
【請求項３】
前記コンテンツには、前記コンテンツに含まれる前記注目ワードに強調表示用のタグ情報が予め付加されており、
前記表示手段は、前記タグ情報に基づいて、前記コンテンツに含まれる前記注目ワードを強調表示することを特徴とする請求項１または請求項２に記載の端末装置。
【請求項４】
ユーザの操作を受け付ける入力手段をさらに備え、
前記関連情報取得手段は、強調表示された前記注目ワードが、前記入力手段が受け付けた操作によって選択された場合に、選択された前記注目ワードの前記関連情報を取得することを特徴とする請求項２または請求項３に記載の端末装置。
【請求項５】
前記注目ワード情報には、注目の度合いを示す注目レベル情報が含まれており、
前記表示手段は、前記注目レベル情報に基づいて、前記コンテンツに含まれる前記注目ワードの強調表示の度合いを変更することを特徴とする請求項２に記載の端末装置。
【請求項６】
前記関連情報取得手段は、検索エンジンを用いて前記関連情報を取得することを特徴とする請求項１〜請求項５のいずれか一項に記載の端末装置。
【請求項７】
ユーザの操作を受け付ける入力手段をさらに備え、
前記表示手段は、前記コンテンツとともに強調表示と平文表示とを切り替える表示切替ボタンを表示し、
前記表示手段は、前記入力手段により前記表示切替ボタンの操作が受け付けられた場合、前記注目ワードを強調表示から平文表示に変更することを特徴とする請求項２〜請求項５のいずれか一項に記載の端末装置。
【請求項８】
コンテンツを表示する端末装置と、注目されているワードである注目ワードを選定するサーバ装置と、を含む情報表示システムであって、
前記端末装置は、
前記コンテンツを取得するコンテンツ取得手段と、
前記注目ワードを示す注目ワード情報を前記サーバ装置から取得する注目ワード情報取得手段と、
前記コンテンツ取得手段によって取得された前記コンテンツに含まれる注目ワードを、前記注目ワード情報取得手段によって取得された前記注目ワード情報に基づいて特定し、特定された前記注目ワードの関連情報を取得する関連情報取得手段と、
前記注目ワード情報によって示される前記注目ワードの前記関連情報を、前記コンテンツとともに表示する表示手段と、
を備え、
前記サーバ装置は、
ネットワーク上の所定のサイトにおいて用いられたワードに関する注目ワード候補情報を収集する情報収集手段と、
前記情報収集手段によって収集された前記注目ワード候補情報に基づいて前記注目ワードを選定し、前記注目ワード情報を生成する注目ワード情報生成手段と、
前記注目ワード情報生成手段によって生成された前記注目ワード情報を前記端末装置に送信する送信手段と、
を備えることを特徴とする情報表示システム。
【請求項９】
コンテンツを取得するコンテンツ取得ステップと、
前記コンテンツ取得ステップにおいて取得された前記コンテンツに含まれる注目ワードを特定し、前記注目ワードの関連情報を取得する関連情報取得ステップと、
前記関連情報取得ステップにおいて取得された前記関連情報を、前記コンテンツとともに表示する表示ステップと、
を備えることを特徴とする情報表示方法。
【発明の詳細な説明】
【技術分野】
【０００１】
本発明は、端末装置、情報表示システムおよび情報表示方法に関する。
【背景技術】
【０００２】
従来、コンテンツを表示する際に、所定のキーワードを強調表示する表示方法がある。例えば、特許文献１には、ユーザが予め設定したキーワードを強調表示するウェブ画面の表示方法が開示されている。また、特許文献２には、サーバにおいてユーザが興味または関心があると推論されるキーワード群を抽出してクライアントに送信し、クライアントにおいて電子メールに含まれるワードのうち、キーワード群と合致するワードを強調表示する電子メールの表示方法が開示されている。
【先行技術文献】
【特許文献】
【０００３】
【特許文献１】特開２０１１−１８０９０９号公報
【特許文献２】特開２０１２−１４３４９号公報
【発明の概要】
【発明が解決しようとする課題】
【０００４】
しかしながら、特許文献１および特許文献２に記載された表示方法では、強調表示によってコンテンツ閲覧者を注目ワードに注目させることはできるものの、コンテンツ閲覧者が注目ワードに関するさらなる情報を取得しようとした場合、コンテンツ閲覧者が注目ワードの検索などを別途行う必要がある。このように、上述の表示方法では、注目ワードに関する情報の取得に手間がかかる。
【０００５】
そこで本発明は、このような問題点を解決するために、注目ワードに関連する情報を容易に取得できるように構成された端末装置、情報表示システムおよび情報表示方法を提供することを目的とする。
【課題を解決するための手段】
【０００６】
上記課題を解決するため、本発明の端末装置は、コンテンツを取得するコンテンツ取得手段と、コンテンツ取得手段によって取得されたコンテンツに含まれる注目ワードを特定し、注目ワードの関連情報を取得する関連情報取得手段と、関連情報取得手段によって取得された関連情報を、コンテンツとともに表示する表示手段と、を備える。
【０００７】
また、本発明の情報表示システムは、コンテンツを表示する端末装置と、注目されているワードである注目ワードを選定するサーバ装置と、を含む情報表示システムである。端末装置は、コンテンツを取得するコンテンツ取得手段と、注目ワードを示す注目ワード情報をサーバ装置から取得する注目ワード情報取得手段と、コンテンツ取得手段によって取得されたコンテンツに含まれる注目ワードを、注目ワード情報取得手段によって取得された注目ワード情報に基づいて特定し、特定された注目ワードの関連情報を取得する関連情報取得手段と、注目ワード情報によって示される注目ワードの関連情報を、コンテンツとともに表示する表示手段と、を備える。また、サーバ装置は、ネットワーク上の所定のサイトにおいて用いられたワードに関する注目ワード候補情報を収集する情報収集手段と、情報収集手段によって収集された注目ワード候補情報に基づいて注目ワードを選定し、注目ワード情報を生成する注目ワード情報生成手段と、注目ワード情報生成手段によって生成された注目ワード情報を端末装置に送信する送信手段と、を備える。
【０００８】
また、本発明の情報表示方法は、コンテンツを取得するコンテンツ取得ステップと、コンテンツ取得ステップにおいて取得されたコンテンツに含まれる注目ワードを特定し、注目ワードの関連情報を取得する関連情報取得ステップと、関連情報取得ステップにおいて取得された関連情報を、コンテンツとともに表示する表示ステップと、を備える。
【０００９】
本発明によれば、コンテンツに含まれる注目ワードの関連情報が取得され、取得された関連情報がコンテンツとともに表示されることにより、ユーザは、注目ワードの検索などを行うことなく、その注目ワードの関連情報を容易に取得できる。
【００１０】
端末装置は、注目ワードを示す注目ワード情報を取得する注目ワード情報取得手段と、注目ワード情報取得手段によって取得された注目ワード情報に基づいて、コンテンツに含まれる注目ワードに強調表示用のタグ情報を付加するタグ情報付加手段と、をさらに備えてもよい。この場合、表示手段は、タグ情報に基づいて、コンテンツに含まれる注目ワードを強調表示してもよい。この構成によれば、注目ワード情報に基づいて、コンテンツに含まれる注目ワードが強調表示されてコンテンツが表示されることにより、コンテンツを閲覧するユーザを注目ワードに注目させることができる。また、強調表示用のタグ情報を解釈できる専用のブラウザアプリケーションを用いて、コンテンツに含まれる注目ワードを強調表示してコンテンツを表示することができる。
【００１１】
コンテンツには、コンテンツに含まれる注目ワードに強調表示用のタグ情報が予め付加されていてもよい。この場合、表示手段は、タグ情報に基づいて、コンテンツに含まれる注目ワードを強調表示してもよい。この構成によれば、コンテンツ製作者が注目してほしいワードを強調表示させることができる。
【００１２】
端末装置は、ユーザの操作を受け付ける入力手段をさらに備えてもよい。この場合、関連情報取得手段は、強調表示された注目ワードが、入力手段が受け付けた操作によって選択された場合に、選択された注目ワードの関連情報を取得するようにしてもよい。この構成によれば、注目ワードが選択されたことに応じて、選択された注目ワードの関連情報が取得されて表示されるので、ユーザは、興味のある注目ワードを選択するだけの簡単な操作で、その注目ワードの関連情報を容易に取得できる。また、ユーザが興味を示さない注目データの関連情報が取得されるのを防止でき、通信データ量の削減が可能となる。
【００１３】
注目ワード情報には、注目の度合いを示す注目レベル情報が含まれていてもよい。この場合、表示手段は、注目レベル情報に基づいて、コンテンツに含まれる注目ワードの強調表示の度合いを変更するようにしてもよい。この構成によれば、注目ワードの注目度合いに応じて注目ワードの表示方法を変えることができる。このため、より効果的な表示が可能となる。
【００１４】
関連情報取得手段は、検索エンジンを用いて関連情報を取得してもよい。この構成によれば、検索エンジンを用いることにより、注目ワードの関連情報を容易に取得することができる。
【００１５】
表示手段は、コンテンツとともに強調表示と平文表示とを切り替える表示切替ボタンを表示してもよい。この場合、表示手段は、入力手段により表示切替ボタンの操作が受け付けられた場合、注目ワードを強調表示から平文表示に変更してもよい。この構成によれば、ユーザが表示切替ボタンを操作することにより、注目ワードの強調表示と平文表示とを切り替えることができる。このため、ユーザの好みに応じた表示が可能となる。
【発明の効果】
【００１６】
本発明によれば、注目ワードに関連する情報の取得を容易化できる。
【図面の簡単な説明】
【００１７】
【図１】本発明の実施形態に係る情報システムの機能構成を概略的に示す図である。
【図２】図１のクライアント端末のハードウェア構成を示す図である。
【図３】（ａ）はＨＴＭＬ文章の一例を示す図、（ｂ）は強調表示タグを付加したＨＴＭＬ文章の一例を示す図である。
【図４】（ａ）はテキストを平文表示したコンテンツの表示例を示す図、（ｂ）は注目ワードを強調表示したコンテンツの表示例を示す図、（ｃ）は注目ワードの関連情報を表示したコンテンツの表示例を示す図である。
【図５】（ａ）はワード出現時間管理テーブルの一例を示す図、（ｂ）はワード出現回数管理テーブルの一例を示す図である。
【図６】注目ワード管理テーブルの一例を示す図である。
【図７】図１のクライアント端末の情報表示動作の一例を示すフローチャートである。
【図８】図１の情報システムの情報表示動作の一例を示すシーケンス図である。
【発明を実施するための形態】
【００１８】
以下、添付図面を参照して、本発明の実施形態を詳細に説明する。なお、図面の説明において同一又は相当要素には同一の符号を付し、重複する説明を省略する。
【００１９】
図１は、本実施形態に係る情報システムの機能構成を概略的に示す図である。図１に示されるように、情報システム１０（情報表示システム）は、クライアント端末１（端末装置）と、サーバ端末２（サーバ装置）と、情報群３とを含んで構成されており、閲覧者（ユーザ）を注目ワードに注目させるためのコンテンツを提供するシステムである。ここで、注目ワードとは、コンテンツ製作者が注目してほしいワード、および、世間の注目が集まっているワードを意味する。
【００２０】
クライアント端末１は、注目ワードを含むコンテンツを表示する装置である。また、クライアント端末１は、ネットワークＮＷに接続されている。このクライアント端末１は、例えば、携帯電話、スマートフォン、ＰＤＡ（Personal  Digital  Assistants）、携帯ゲーム機、テレビ、タブレット、ノートＰＣおよびデスクトップＰＣなどの装置である。
【００２１】
図２は、クライアント端末１のハードウェア構成を示す図である。図２に示されるように、クライアント端末１は、物理的には、ＣＰＵ（Central  Processing  Unit）１０１、主記憶装置であるＲＡＭ（Random  Access  Memory）１０２、ＲＯＭ（Read  Only  Memory）１０３、ハードディスクなどの補助記憶装置１０４、ネットワークカードなどのデータ送受信デバイスである通信モジュール１０５、マウス、タッチパッドなどのポインティングデバイスおよびキーボードなどの入力デバイスである入力装置１０６、液晶ディスプレイおよびタッチパネルなどの出力デバイスである表示装置１０７などのハードウェアにより構成されている。後述するクライアント端末１の各機能は、ＣＰＵ１０１、ＲＡＭ１０２などのハードウェア上に所定のコンピュータソフトウェアを読み込ませることにより、ＣＰＵ１０１の制御のもとで入力装置１０６および表示装置１０７などを動作させるとともに、ＲＡＭ１０２や補助記憶装置１０４におけるデータの読み出しおよび書き込みを行うことで実現される。
【００２２】
サーバ端末２は、注目ワードに関する注目ワード情報をクライアント端末１に供給する装置である。また、サーバ端末２は、ネットワークＮＷに接続されている。このサーバ端末２は、サーバ装置などの情報処理装置から構成され、ＣＰＵ、ＲＡＭ、ＲＯＭ、ネットワークＮＷ上のクライアント端末１および情報群３との通信を行う通信モジュール、情報を記憶する記憶装置などのハードウェアを備えている。これらの構成要素が動作することにより、後述するサーバ端末２の各機能が発揮される。
【００２３】
情報群３は、ネットワークＮＷに接続された複数の装置の集合であって、クライアント端末１およびサーバ端末２に各種情報を提供する装置の集合である。この情報群３には、例えば、検索エンジン（検索サイト）３１、ニュースサイト３２、ＳＮＳ（Social  Networking  Service）サイト３３、コンテンツサーバ３４などが含まれる。ネットワークＮＷは、有線および無線のいずれで構成されてもよく、例えば、移動体通信網、インターネット、有線ＷＡＮ（Wide  Area  Network）、無線ＷＡＮなどのネットワークである。
【００２４】
次に、情報システム１０の機能構成について説明する。図１に示されるように、クライアント端末１は、機能的には、入力部１１（入力手段）と、送受信部１２と、コンテンツ取得部１３（コンテンツ取得手段）と、注目ワード情報取得部１４（注目ワード情報取得手段）と、タグ情報付加部１５（タグ情報付加手段）と、表示部１６（表示手段）と、関連情報取得部１７（関連情報取得手段）と、を備えている。
【００２５】
入力部１１は、入力装置１０６を介してユーザの操作を受け付ける入力手段として機能する。入力部１１は、受け付けた操作に関する操作情報をコンテンツ取得部１３および関連情報取得部１７に送信する。送受信部１２は、ネットワークＮＷへの各種データの送信およびネットワークＮＷからの各種データの受信を行う送受信手段として機能する。
【００２６】
コンテンツ取得部１３は、コンテンツを取得するコンテンツ取得手段として機能する。このコンテンツ取得部１３は、送受信部１２を介してネットワークＮＷ上のコンテンツサーバ３４にコンテンツ取得要求を送信する。そして、コンテンツ取得部１３は、コンテンツ取得要求に対応するコンテンツをコンテンツサーバ３４から送受信部１２を介して受信する。コンテンツ取得部１３は、受信したコンテンツをタグ情報付加部１５に送信する。コンテンツサーバ３４から取得したコンテンツには、強調表示用のタグ情報が予め付加されていてもよい。
【００２７】
注目ワード情報取得部１４は、注目ワードに関する注目ワード情報を取得する注目ワード情報取得手段として機能する。注目ワード情報取得部１４は、送受信部１２を介してサーバ端末２に注目ワード情報取得要求を送信する。そして、注目ワード情報取得部１４は、注目ワード情報をサーバ端末２から送受信部１２を介して受信する。注目ワード情報取得部１４は、受信した注目ワード情報をタグ情報付加部１５に送信する。この注目ワード情報は、注目ワードを示す情報を含む。また、注目ワード情報は、注目ワードの注目度合いを示す注目レベル情報を含んでもよい。
【００２８】
タグ情報付加部１５は、注目ワード情報取得部１４から受信した注目ワード情報に基づいて、コンテンツ取得部１３から受信したコンテンツに含まれる注目ワードに強調表示用のタグ情報を付加するタグ情報付加手段として機能する。具体的に説明すると、タグ情報付加部１５は、注目ワード情報に含まれる情報によって、注目ワードを特定する。また、タグ情報付加部１５は、例えば形態素解析により、例えばＨＴＭＬ（Hypertext  Markup  Language）によって記述されたコンテンツに含まれるテキストデータをワード（単語）に分解する。
【００２９】
そして、タグ情報付加部１５は、注目ワードと各ワードとを比較し、注目ワードに一致するワードに強調表示タグを付加する。注目ワード情報に注目レベル情報が含まれている場合には、強調表示レベルを示す強調表示タグを付加してもよい。そして、タグ情報付加部１５は、タグ情報を付加したコンテンツを表示部１６に送信する。
【００３０】
図３の（ａ）はＨＴＭＬ文章の一例を示す図、（ｂ）は強調表示タグを付加したＨＴＭＬ文章の一例を示す図である。ここでは、注目ワードが「日経平均株価」で、注目レベルがレベル１であることを示す注目ワード情報をタグ情報付加部１５が受信したとする。タグ情報付加部１５は、図３の（ａ）に示されるＨＴＭＬ文章をコンテンツとして受信した場合、ＨＴＭＬ文章のテキストデータをワードに分解して各ワードと注目ワードと比較し、注目ワードと一致する「日経平均株価」を抽出する。そして、タグ情報付加部１５は、「日経平均株価」に、強調表示レベルがレベル１の強調表示タグ＜ＸＬ１＞＜／ＸＬ１＞を付加し、図３の（ｂ）に示されるような、タグ付けされたＨＴＭＬ文章を表示部１６に送信する。
【００３１】
表示部１６は、後述する関連情報取得部１７によって取得された関連情報を、コンテンツとともに表示する表示手段として機能する。この表示部１６は、専用のブラウザアプリケーションによってその機能を実現する。表示部１６は、タグ情報が付加されたコンテンツをタグ情報付加部１５から受信する。また、表示部１６は、コンテンツに含まれる注目ワードの各々に関連する関連情報を関連情報取得部１７から受信する。そして、表示部１６は、コンテンツを表示するとともに、コンテンツに含まれる注目ワードの周囲にその関連情報を表示する。このとき、表示部１６は、例えば、コンテンツに関連情報を重畳して表示する。また、表示部１６は、関連情報の分類別に関連情報を表示してもよい。
【００３２】
ここで、関連情報とは、注目ワードに関連する情報であって、２次関連ワード、ニュース、ＳＮＳに書き込まれた情報、画像、サウンド、地図などの情報が含まれる。また、関連情報は、上記各情報へのリンク情報であってもよい。この場合、入力部１１により受け付けた操作によって関連情報がクリックされると、表示部１６は、送受信部１２を介してネットワークＮＷ上の関連サイトから詳細情報を取得して、その情報を表示する。
【００３３】
また、表示部１６は、受信したコンテンツを解析し、コンテンツに付加されたタグ情報に基づいて注目ワードを強調表示してコンテンツを表示装置１０７に表示する。なお、強調表示は、例えば、文字サイズ（フォントサイズ）を大きくする、字体を変更する、文字飾りを施すなど、他のワードと比較して注目されるような表示方法であればよい。
【００３４】
また、強調表示レベルを示す強調表示用のタグ情報が付加されていた場合、表示部１６は、その強調表示レベルに応じて注目ワードを強調表示する。例えば、強調表示レベルがレベル１の場合は、表示部１６は、タグ情報が付加されたワードの文字サイズを他のレベルよりも大きくするなどして、最も注目されるように表示する。強調表示レベルがレベル２、レベル３・・・となるに従い、表示部１６は、レベル１の文字サイズよりも文字サイズを小さくするなどして、強調表示の度合いを低下させる。
【００３５】
また、表示部１６は、入力部１１により受け付けた操作によって注目ワードが選択された場合、選択された注目ワードの関連情報を表示してもよい。具体的には、表示部１６は、注目ワードを強調表示してコンテンツを表示しているときに、強調表示された注目ワードが選択されると、選択された注目ワードに関連する関連情報を後述の関連情報取得部１７から受信する。そして、表示部１６は、選択された注目ワードの周囲に関連情報を表示する。
【００３６】
なお、表示部１６は、注目ワードにマウスポインタ（マウスカーソル）を重ねる操作（マウスオーバーともいう。）が行われた場合に関連情報を表示してもよいし、注目ワードがクリックされた場合に関連情報を表示してもよい。このように、表示部１６は、フォーカスが当てられた注目ワードの関連情報を表示する。
【００３７】
図４の（ａ）はテキストを平文表示したコンテンツの表示例を示す図、（ｂ）は注目ワードを強調表示したコンテンツの表示例を示す図、（ｃ）は注目ワードの関連情報を表示したコンテンツの表示例を示す図である。図４の（ａ）に示されるように、コンテンツに強調表示用のタグ情報が付加されていない場合、表示部１６は、コンテンツ内のテキストを平文で表示する。
【００３８】
図４の（ｂ）に示されるように、コンテンツ内のワード「土曜スペシャル」に強調表示用のタグ情報が付加されている場合、表示部１６は、ワード「土曜スペシャル」を強調表示してコンテンツを表示する。この例では、ワード「土曜スペシャル」のフォントサイズを他のワードよりも大きくし、さらにワード「土曜スペシャル」を線で囲むことにより、強調表示している。
【００３９】
そして、図４の（ｂ）に示される表示画面において、強調表示されたワード「土曜スペシャル」にマウスポインタが重ねられた場合、図４の（ｃ）に示されるように、表示部１６は、ワード「土曜スペシャル」の関連情報を表示する。この例では、表示部１６は、ワード「土曜スペシャル」の下にその関連情報を並べて表示している。
【００４０】
関連情報取得部１７は、コンテンツ取得部１３によって取得されたコンテンツに含まれる注目ワードを特定し、注目ワードの関連情報を取得する関連情報取得手段として機能する。この関連情報取得部１７は、送受信部１２を介してネットワークＮＷ上の検索エンジン３１に、コンテンツに含まれる注目ワードの関連情報を取得するための関連情報取得要求を送信する。そして、関連情報取得部１７は、関連情報を検索エンジン３１から送受信部１２を介して受信する。
【００４１】
具体的に説明すると、関連情報取得部１７は、例えば、コンテンツに付加されたタグ情報により、注目ワードを特定する。そして、関連情報取得部１７は、注目ワードをキーワードとした検索要求を含む関連情報取得要求を検索エンジン３１に送信する。また、関連情報取得部１７は、検索エンジン３１による検索結果を関連情報として取得する。そして、関連情報取得部１７は、受信した関連情報を表示部１６に送信する。
【００４２】
また、関連情報取得部１７は、表示部１６に表示されたコンテンツにおいて、強調表示された注目ワードが選択されたか否かを判定してもよい。この場合、関連情報取得部１７は、強調表示された注目ワードが選択されたと判定した場合に、その選択された注目ワードの関連情報を取得してもよい。ここで、関連情報取得部１７は、表示部１６に表示された注目ワードにマウスポインタを重ねる操作が行われた場合に、注目ワードが選択されたと判定してもよいし、注目ワードがクリックされた場合に、注目ワードが選択されたと判定してもよい。
【００４３】
サーバ端末２は、機能的には、送受信部２１（送信手段）と、情報収集部２２（情報収集手段）と、情報記憶部２３と、情報解析部２４と、注目ワード情報生成部２５（注目ワード情報生成手段）と、を備えている。送受信部２１は、ネットワークＮＷへの各種データの送信およびネットワークＮＷからの各種データの受信を行う送受信手段として機能する。
【００４４】
情報収集部２２は、ネットワークＮＷ上の所定のサイトにおいて用いられたワードに関する注目ワード候補情報を収集する情報収集手段として機能する。情報収集部２２は、注目ワード候補情報取得要求を送受信部２１を介して情報群３の各サイト（検索エンジン３１、ニュースサイト３２、ＳＮＳサイト３３など）に送信する。また、情報収集部２２は、情報群３の各サイトから注目ワード候補情報を受信する。そして、情報収集部２２は、受信した注目ワード候補情報を情報記憶部２３に格納する。
【００４５】
情報記憶部２３は、注目ワード候補情報を記憶する記憶手段として機能する。情報記憶部２３は、例えば、ワード出現時間管理テーブルと、ワード出現回数管理テーブルとによって、注目ワード候補情報を記憶している。図５の（ａ）はワード出現時間管理テーブルの一例を示す図、（ｂ）はワード出現回数管理テーブルの一例を示す図である。ワード出現時間管理テーブルは、情報群３のサイトのうち予め登録されたサイト（例えば、ニュースサイト３２およびＳＮＳサイト３３）から取得した注目ワード候補情報を管理している。ワード出現回数管理テーブルは、予め指定された検索エンジン３１から取得した注目ワード候補情報を管理している。
【００４６】
図５の（ａ）に示されるように、ワード出現時間管理テーブルは、ワードを示す情報と、サイトＩＤと、出現時間を示す情報とを対応付けて記憶している。ワードを示す情報は、情報群３の各サイトから受信した注目ワード候補情報に含まれるワードを示す情報である。サイトＩＤは、注目ワード候補情報の送信元のサイトを識別するための識別情報である。出現時間を示す情報は、送信元のサイトにおいて、ワードが出現した時間（時刻）を示す情報である。
【００４７】
この例では、ワード「山手線」が、サイトＩＤ「００３２１」で示されるＳＮＳサイト３３において、２０１２年２月５日１２時１２分に書き込まれたことを示している。また、ワード「桜前線」が、サイトＩＤ「１９８７９」で示されるニュースサイト３２において、２０１２年２月５日１２時４分に登録されたことを示している。
【００４８】
図５の（ｂ）に示されるように、ワード出現回数管理テーブルは、ワードを示す情報と、検索回数（出現回数）を示す情報と、を対応付けて記憶している。ワードを示す情報は、検索エンジン３１から受信した注目ワード候補情報に含まれるワードを示す情報である。検索回数を示す情報は、ワードが検索された回数（出現した回数）を示す情報である。この例では、ワード「電車遅延」が、検索エンジン３１において１９８７７回検索されたことを示す。また、ワード「椎名誠」が、検索エンジン３１において１２２回検索されたことを示す。
【００４９】
情報解析部２４は、情報記憶部２３に記憶された注目ワード候補情報を解析し、注目ワードを選定する解析手段として機能する。具体的に説明すると、情報解析部２４は、送受信部２１を介してクライアント端末１から注目ワード情報取得要求を受信すると、ワード出現時間管理テーブルにおいて、予め定められた時間以内に出現したワードを抽出する。このとき、情報解析部２４は、予め定められた時間以内に出現したワードのうち、出現したサイト数が予め定められた値以上であるワードを抽出してもよい。
【００５０】
また、情報解析部２４は、ワード出現時間管理テーブルに基づいて抽出したワードの検索回数を、ワード出現回数管理テーブルから取得する。そして、情報解析部２４は、検索回数が閾値以上のワードを注目ワードとして選定する。なお、情報解析部２４は、ワード出現時間管理テーブルにおいて予め定められた時間以内に出現したワードと、ワード出現回数管理テーブルにおいて閾値以上の検索回数のワードとをそれぞれ抽出し、抽出したワードを注目ワードとして選定してもよい。すなわち、情報解析部２４は、ネットワークＮＷ上のサイトで表示された回数が多いワード、検索エンジン３１で検索された回数が多いワードを注目ワードとして選定する。また、検索回数の閾値は、情報解析部２４に予め設定されている。
【００５１】
注目ワード情報生成部２５は、情報解析部２４によって選定された注目ワードに関する注目ワード情報を生成する注目ワード情報生成手段として機能する。注目ワード情報生成部２５は、情報解析部２４によって選定された注目ワードの各々について、情報記憶部２３のワード出現時間管理テーブルおよびワード出現回数管理テーブルに基づいて、出現サイト数をカウントする。ここで、出現サイト数は、その注目ワードが出現したサイトの数である。
【００５２】
そして、注目ワード情報生成部２５は、注目ワードの出現サイト数に基づいて、注目ワードの注目レベルを決定する。例えば、注目ワードの出現サイト数が第１閾値以上であれば、注目ワードの注目レベルはレベル１とされ、注目ワードの出現サイト数が第１閾値よりも小さく第２閾値以上であれば、注目ワードの注目レベルはレベル２とされ、注目ワードの出現サイト数が第２閾値より小さく第３閾値以上であれば、注目ワードの注目レベルはレベル３とされ、注目ワードの出現サイト数が第３閾値より小さければ、注目ワードの注目レベルはレベル４とされる。また、注目ワード情報生成部２５は、注目ワード管理テーブルにより注目ワード情報を管理している。なお、注目レベルを決定するための閾値は、注目ワード情報生成部２５に予め設定されている。
【００５３】
図６は、注目ワード管理テーブルの一例を示す図である。図６に示されるように、注目ワード管理テーブルは、注目ワードを示す情報と、出現サイト数を示す情報と、注目レベルを示す情報とを対応付けて記憶している。注目ワードを示す情報は、情報解析部２４によって選定された注目ワードを示す情報である。出現サイト数を示す情報は、単位時間あたりにおいて注目ワードが出現したサイトの数を示す。注目レベルを示す情報は、注目ワードの注目の度合いを示す情報である。この例では、注目ワード「東京」は、出現サイト数が５９９８８であり、注目レベルはレベル１である。また、注目ワード「結婚」は、出現サイト数が１２９であり、注目レベルはレベル４である。
【００５４】
また、注目ワード情報生成部２５は、注目ワード管理テーブルから注目ワードを示す情報と注目レベルを示す情報とを抽出して、注目ワードを示す情報と注目レベルを示す情報とを含む注目ワード情報を生成する。そして、注目ワード情報生成部２５は、注目ワード情報を送受信部２１を介してクライアント端末１に送信する。
【００５５】
検索エンジン３１は、検索エンジン３１において検索したワードを示す情報と、そのワードによる検索回数を示す情報とを注目ワード候補情報として管理している。そして、検索エンジン３１は、サーバ端末２から注目ワード候補情報取得要求を受信すると、注目ワード候補情報をサーバ端末２に送信する。また、検索エンジン３１は、関連情報取得要求をクライアント端末１から受信すると、関連情報取得要求に含まれる注目ワードの検索を行い、その検索結果を関連情報としてクライアント端末１に送信する。
【００５６】
ニュースサイト３２は、ニュースサイト３２において登録したニュースを例えば形態素解析によりワードに分解し、各ワードを示す情報とニュースが登録された時間を示す情報とを含む注目ワード候補情報として管理している。そして、ニュースサイト３２は、サーバ端末２から注目ワード候補情報取得要求を受信すると、注目ワード候補情報をサーバ端末２に送信する。
【００５７】
ＳＮＳサイト３３は、ＳＮＳサイト３３において書き込まれたテキストを例えば形態素解析によりワードに分解し、各ワードを示す情報と書き込まれた時間を示す情報とを含む注目ワード候補情報として管理している。そして、ＳＮＳサイト３３は、サーバ端末２から注目ワード候補情報取得要求を受信すると、注目ワード候補情報をサーバ端末２に送信する。
【００５８】
コンテンツサーバ３４は、複数のコンテンツを記憶している。コンテンツサーバ３４は、クライアント端末１からコンテンツ取得要求を受信すると、コンテンツ取得要求によって特定されたコンテンツをクライアント端末１に送信する。コンテンツサーバ３４に記憶されたコンテンツには、強調表示用のタグ情報が予め付加されていてもよい。例えば、コンテンツ製作者が注目してほしいワードに、強調表示用のタグ情報が予め付加されている。このタグ情報は、注目ワードに付加されるタグ情報と同じタグ情報であってもよいし、異なるタグ情報であってもよい。
【００５９】
続いて、上述した構成を有する情報システム１０におけるクライアント端末１の情報表示方法について説明する。図７は、クライアント端末１の情報表示動作の一例を示すフローチャートである。この情報表示動作は、入力部１１がコンテンツを表示する操作を受け付けることによって開始される。
【００６０】
入力部１１は、受け付けた操作を示す操作情報をコンテンツ取得部１３に送信する。そして、コンテンツ取得部１３は、コンテンツを表示する操作を示す操作情報を受信すると、コンテンツ取得要求を送受信部１２を介してコンテンツサーバ３４に送信する。その後、コンテンツ取得部１３は、コンテンツサーバ３４からコンテンツを受信し、タグ情報付加部１５にコンテンツを送信する（ステップＳ０１，コンテンツ取得ステップ）。
【００６１】
次に、注目ワード情報取得部１４は、注目ワード情報取得要求を送受信部１２を介してサーバ端末２に送信する。その後、注目ワード情報取得部１４は、サーバ端末２から注目ワード情報を受信し、タグ情報付加部１５に注目ワード情報を送信する（ステップＳ０２，注目ワード情報取得ステップ）。
【００６２】
次に、タグ情報付加部１５は、注目ワード情報取得部１４から受信した注目ワード情報に基づいて、注目ワードを特定する。また、タグ情報付加部１５は、例えば形態素解析により、コンテンツに含まれるテキストデータをワードに分解する。そして、タグ情報付加部１５は、注目ワードとコンテンツに含まれる各ワードとを照合し、注目ワードに一致するワードに強調表示用のタグ情報を付加する（ステップＳ０３，タグ情報付加ステップ）。タグ情報付加部１５は、タグ情報を付加したコンテンツを表示部１６に送信する。
【００６３】
次に、表示部１６は、受信したコンテンツに強調表示用のタグ情報が付加されているか否かを判定する（ステップＳ０４）。強調表示用のタグ情報が付加されていないと判定された場合（ステップＳ０４；Ｎｏ）、表示部１６は、テキストデータを平文表示して、コンテンツを表示する（ステップＳ０５）。そして、クライアント端末１の情報表示動作を終了する。
【００６４】
一方、ステップＳ０４の判定において、強調表示用のタグ情報が付加されていると判定された場合（ステップＳ０４；Ｙｅｓ）、表示部１６は、強調表示用のタグ情報が付加されたワードを強調表示して、コンテンツを表示する（ステップＳ０６，表示ステップ）。
【００６５】
次に、関連情報取得部１７は、入力部１１から操作情報を受信し、強調表示されたワードが選択されたか否かを判定する（ステップＳ０７）。強調表示されたワードが選択されなかったと判定された場合（ステップＳ０７；Ｎｏ）、クライアント端末１の情報表示動作を終了する。一方、ステップＳ０７の判定において、強調表示されたワードが選択されたと判定された場合（ステップＳ０７；Ｙｅｓ）、関連情報取得部１７は、関連情報取得要求を送受信部１２を介して検索エンジン３１に送信する（ステップＳ０８）。
【００６６】
その後、関連情報取得部１７は、検索エンジン３１から関連情報を取得したか否かを判定する（ステップＳ０９）。関連情報を取得しなかったと判定された場合（ステップＳ０９；Ｎｏ）、クライアント端末１の情報表示動作を終了する。一方、ステップＳ０９の判定において、関連情報を取得したと判定された場合（ステップＳ０９；Ｙｅｓ）、関連情報取得部１７は、取得した関連情報を表示部１６に送信する（関連情報取得ステップ）。次に、表示部１６は、ステップＳ０７において選択されたワードの周辺において、関連情報をコンテンツに重畳して表示する（ステップＳ１０，関連情報表示ステップ）。そして、クライアント端末１の情報表示動作を終了する。
【００６７】
続いて、上述した構成を有する情報システム１０におけるの情報表示動作について説明する。図８は、情報システム１０の情報表示動作の一例を示すシーケンス図である。
【００６８】
図８に示されるように、サーバ端末２の情報収集部２２は、注目ワード候補情報取得要求を送受信部２１を介して情報群３の各サイトに定期的に送信する（ステップＳ２１）。検索エンジン３１は、サーバ端末２から注目ワード候補情報取得要求を受信したことに応じて、検索エンジン３１において検索したワードを示す情報と、そのワードによる検索回数を示す情報と、を含む注目ワード候補情報をサーバ端末２に送信する（ステップＳ２２）。
【００６９】
また、ニュースサイト３２は、サーバ端末２から注目ワード候補情報取得要求を受信したことに応じて、ニュースサイト３２において登録したニュース内に含まれる各ワードを示す情報と、ニュースが登録された時間を示す情報と、を含む注目ワード候補情報をサーバ端末２に送信する（ステップＳ２２）。また、ＳＮＳサイト３３は、サーバ端末２から注目ワード候補情報取得要求を受信したことに応じて、ＳＮＳサイト３３において書き込まれたテキストに含まれる各ワードを示す情報と、書き込まれた時間を示す情報と、を含む注目ワード候補情報をサーバ端末２に送信する（ステップＳ２２）。情報収集部２２は、情報群３の各サイトから送受信部２１を介して注目ワード候補情報を受信し、注目ワード候補情報を情報記憶部２３に格納する。
【００７０】
次に、クライアント端末１のコンテンツ取得部１３は、コンテンツを表示する操作を示す操作情報を入力部１１から受信すると、コンテンツ取得要求を送受信部１２を介してコンテンツサーバ３４に送信する（ステップＳ２３）。コンテンツサーバ３４は、クライアント端末１からコンテンツ取得要求を受信すると、コンテンツ取得要求によって特定されるコンテンツをクライアント端末１に送信する（ステップＳ２４）。そして、コンテンツ取得部１３は、送受信部１２を介してコンテンツサーバ３４からコンテンツを受信し、タグ情報付加部１５にコンテンツを送信する。
【００７１】
次に、注目ワード情報取得部１４は、注目ワード情報取得要求を送受信部１２を介してサーバ端末２に送信する（ステップＳ２５）。そして、サーバ端末２の情報解析部２４は、送受信部２１を介してクライアント端末１から注目ワード情報取得要求を受信すると、ワード出現時間管理テーブルにおいて、予め定められた時間以内に出現したワードを抽出する。また、情報解析部２４は、抽出したワードの検索回数をワード出現回数管理テーブルから取得する。そして、情報解析部２４は、検索回数が閾値以上のワードを注目ワードとして選定する（ステップＳ２６）。
【００７２】
次に、注目ワード情報生成部２５は、情報解析部２４によって選定された注目ワードの各々について、その出現サイト数に基づいて注目レベルを決定する。そして、注目ワード情報生成部２５は、注目ワードを示す情報と、注目レベルを示す情報とを含む注目ワード情報を生成する（ステップＳ２７）。そして、注目ワード情報生成部２５は、注目ワード情報を送受信部２１を介してクライアント端末１に送信する（ステップＳ２８）。そして、注目ワード情報取得部１４は、送受信部１２を介してサーバ端末２から注目ワード情報を受信し、タグ情報付加部１５に注目ワード情報を送信する。
【００７３】
次に、タグ情報付加部１５は、注目ワード情報取得部１４から受信した注目ワード情報に基づいて、注目ワードを特定する。また、タグ情報付加部１５は、例えば形態素解析により、コンテンツに含まれるテキストデータをワードに分解する。そして、タグ情報付加部１５は、注目ワードとコンテンツに含まれる各ワードとを照合し、注目ワードに一致するワードに強調表示用のタグ情報を付加する（ステップＳ２９）。タグ情報付加部１５は、タグ情報を付加したコンテンツを表示部１６に送信する。次に、表示部１６は、強調表示用のタグ情報が付加されたワードを強調表示して、コンテンツを表示する（ステップＳ３０）。
【００７４】
その後、関連情報取得部１７は、入力部１１から操作情報を受信し、強調表示されたワードが選択されたと判定した場合、関連情報取得要求を送受信部１２を介して検索エンジン３１に送信する（ステップＳ３１）。検索エンジン３１は、関連情報取得要求をクライアント端末１から受信すると、関連情報取得要求に含まれる注目ワードの検索を行い、その検索結果を関連情報として取得する（ステップＳ３２）。そして、検索エンジン３１は、関連情報をクライアント端末１に送信する（ステップＳ３３）。
【００７５】
関連情報取得部１７は、検索エンジン３１から関連情報を送受信部１２を介して受信すると、受信した関連情報を表示部１６に送信する（関連情報取得ステップ）。次に、表示部１６は、ステップＳ３１において選択されたワードの周辺において、関連情報をコンテンツに重畳して表示する（ステップＳ３４）。そして、情報システム１０の情報表示動作を終了する。
【００７６】
なお、情報システム１０の情報表示動作においても、図７と同様に、クライアント端末１は、ステップＳ０４の判定、ステップＳ０７の判定およびステップＳ０９の判定を行うが、ここではその説明を省略している。
【００７７】
次に、クライアント端末１の作用効果について説明する。クライアント端末１は、コンテンツを取得するコンテンツ取得部１３と、コンテンツ取得部１３によって取得されたコンテンツに含まれる注目ワードを特定し、注目ワードの関連情報を取得する関連情報取得部１７と、関連情報取得部１７によって取得された関連情報を、コンテンツとともに表示する表示部１６と、を備える。
【００７８】
このクライアント端末１によれば、コンテンツに含まれる注目ワードの関連情報が取得され、取得された関連情報がコンテンツとともに表示されることにより、ユーザは、注目ワードの検索などを行うことなく、その注目ワードの関連情報を容易に取得できる。
【００７９】
クライアント端末１は、注目ワードを示す注目ワード情報を取得する注目ワード情報取得部１４と、注目ワード情報取得部１４によって取得された注目ワード情報に基づいて、コンテンツ取得部１３によって取得されたコンテンツに含まれる注目ワードに強調表示用のタグ情報を付加するタグ情報付加部１５と、をさらに備える。この場合、表示部１６は、タグ情報に基づいて、コンテンツに含まれる注目ワードを強調表示する。これによれば、注目ワード情報に基づいて、コンテンツに含まれる注目ワードが強調表示されてコンテンツが表示されることにより、コンテンツを閲覧するユーザを注目ワードに注目させることができる。また、強調表示用のタグ情報を解釈できる専用のブラウザアプリケーションを用いて、コンテンツに含まれる注目ワードを強調表示してコンテンツを表示することができる。
【００８０】
コンテンツには、タグ情報が予め付加されていることもある。これによれば、コンテンツ製作者が注目してほしいワードを強調表示させることができる。
【００８１】
関連情報取得部１７は、強調表示された注目ワードがユーザによって選択された場合に、選択された注目ワードの関連情報を取得してもよい。これによれば、注目ワードが選択されたことに応じて、選択された注目ワードの関連情報が取得されて表示されるので、ユーザは、興味のある注目ワードを選択するだけの簡単な操作で、その注目ワードの関連情報を容易に取得できる。また、ユーザが興味を示さない注目データの関連情報が取得されるのを防止でき、通信データ量の削減が可能となる。
【００８２】
注目ワード情報には、注目の度合いを示す注目レベル情報が含まれてもよい。この場合、表示部１６は、注目レベル情報に基づいて、コンテンツに含まれる注目ワードの強調表示の度合いを変更してもよい。これによれば、注目ワードの注目度合いに応じて注目ワードの表示方法を変えることができ、より効果的な表示が可能となる。
【００８３】
関連情報取得部１７は、検索エンジン３１を用いて関連情報を取得してもよい。これによれば、検索エンジン３１を用いることにより、注目ワードの関連情報を容易に取得することができる。
【００８４】
なお、本発明に係る端末装置、情報表示システムおよび情報表示方法は本実施形態に記載したものに限定されない。例えば、表示部１６は、コンテンツとともに強調表示と平文表示とを切り替える表示切替ボタンを表示してもよい。この場合、入力部１１により表示切替ボタンの操作が受け付けられたことに応じて、注目ワードを強調表示から平文表示に、または、平文表示から強調表示に変更してもよい。これによれば、ユーザが表示切替ボタンを操作することにより、注目ワードの強調表示と平文表示とを切り替えることができる。このため、ユーザの好みに応じた表示が可能となる。
【００８５】
また、上記実施形態では、表示部１６は、強調表示用のタグ情報が予め付加されたワードと、注目ワード情報に基づいて強調表示用のタグ情報が付加されたワードとを強調表示しているが、いずれか一方を強調表示するようにしてもよい。すなわち、注目ワード情報に基づいて強調表示用のタグ情報が付加されるのであれば、コンテンツに強調表示用のタグ情報が予め付加されていなくてもよい。また、コンテンツに強調表示用のタグ情報が予め付加されているのであれば、注目ワード情報に基づいて強調表示用のタグ情報が付加されなくてもよい。
【００８６】
また、情報解析部２４は、ネットワークＮＷ上のサイトで表示された回数が多いワード、検索エンジン３１で検索された回数が多いワードに加えて、クライアント端末１内で入力された回数が多いワードを注目ワードとして選定してもよい。
【符号の説明】
【００８７】
１…クライアント端末（端末装置）、２…サーバ端末（サーバ装置）、１０…情報システム（情報表示システム）、１１…入力部（入力手段）、１３…コンテンツ取得部（コンテンツ取得手段）、１４…注目ワード情報取得部（注目ワード情報取得手段）、１５…タグ情報付加部（タグ情報付加手段）、１６…表示部（表示手段）、１７…関連情報取得部（関連情報取得手段）、２１…送受信部（送信手段）、２２…情報収集部（情報収集手段）、２５…注目ワード情報生成部（注目ワード情報生成手段）、ＮＷ…ネットワーク。
【図１】
2013196141.tif 000003
【図２】
2013196141.tif 000004
【図３】
2013196141.tif 000005
【図５】
2013196141.tif 000006
【図６】
2013196141.tif 000007
【図７】
2013196141.tif 000008
【図８】
2013196141.tif 000009
【図４】
2013196141.tif 000010